(57)【要約】【課題】モールド部付電線において、接着剤がモールド部成形時の射出圧によって所望の箇所から流されてしまうことをより簡易に抑制すること。【解決手段】モールド部付電線１００は、芯線１１２と絶縁被覆１１１とを含む絶縁電線１１及び絶縁電線１１の端部に接続された端子１２を備え、凹部１９が絶縁被覆１１１に形成された端子付電線１と、絶縁被覆１１１の凹部１９に設けられた接着剤２と、端子付電線１の絶縁被覆１１１における接着剤２が設けられた部分から絶縁電線１１と端子１２との接続部分に亘る部分を覆うモールド部３と、を備える。【選択図】図１
2016100103.tif 000002
【特許請求の範囲】
【請求項１】
芯線と前記芯線の周囲を覆う絶縁被覆とを含む絶縁電線及び前記絶縁電線の端部に接続された端子を備え、凹部が前記絶縁被覆に形成された端子付電線と、
前記絶縁被覆の前記凹部に設けられた接着剤と、
前記端子付電線の前記絶縁被覆における前記接着剤が設けられた部分から前記絶縁電線と前記端子との接続部分に亘る部分を覆うモールド部と、を備えるモールド部付電線。
【請求項２】
請求項１に記載のモールド部付電線であって、
前記凹部が、前記絶縁電線の周方向に沿って前記絶縁被覆に形成された第一凹部を含む、モールド部付電線。
【請求項３】
請求項１又は請求項２に記載のモールド部付電線であって、
前記絶縁被覆が、シリコーンゴムである、モールド部付電線。
【請求項４】
請求項１から請求項３のいずれか１項に記載のモールド部付電線であって、
前記凹部は、有機溶剤が前記絶縁被覆に供給されることにより形成される、モールド部付電線。
【請求項５】
請求項１から請求項４のいずれか１項に記載のモールド部付電線であって、
前記絶縁電線の長手方向において前記凹部の端が前記絶縁被覆の端よりも中間側に位置するように形成されている、モールド部付電線。
【請求項６】
請求項１から請求項５のいずれか１項に記載のモールド部付電線であって、
前記凹部が、前記絶縁被覆に散在して設けられた複数の第二凹部を含む、モールド部付電線。
【発明の詳細な説明】
【技術分野】
【０００１】
本発明は、端子付電線及びモールド部を含むモールド部付電線に関する。
【背景技術】
【０００２】
自動車等の車両に搭載されるワイヤーハーネスにおいて、端子付電線は、絶縁電線と絶縁電線の端部に接続された端子とを備える。絶縁電線は、芯線及びこの芯線の周囲を覆う絶縁被覆を含む。
【０００３】
また、特許文献１に示されるように、端子付電線が、モールド部を備えることがある。モールド部は、端子付電線の絶縁電線の端部及び端子の一部を覆っている。以下、モールド部を含む端子付電線をモールド部付電線と称する。
【０００４】
また、モールド部と絶縁電線の絶縁被覆との接着力の向上のため、接着剤が、絶縁被覆の表面に設けられることがある。また、例えば、特許文献２に示される例では、絶縁電線におけるモールド部が形成される箇所に、プラズマ放電処理が行われ、その処理を行った箇所に接着剤が塗布される。特許文献２に示される例では、プラズマ放電処理によって、接着剤と絶縁被覆との接着力が向上する。
【先行技術文献】
【特許文献】
【０００５】
【特許文献１】特開２００２−３１５１３０号公報
【特許文献２】特開２００６−１２３４５８号公報
【発明の概要】
【発明が解決しようとする課題】
【０００６】
ところで、絶縁被覆に塗布された接着剤が、モールド部成形時の射出圧によって、所望の箇所から流されてしまうことがある。
【０００７】
また、絶縁被覆と接着剤との接着力を向上させるため、特許文献２に示される例が採用される場合、プラズマ放電処理の前後で絶縁被覆の改質を目視で判断することが困難である。この場合、絶縁被覆の改質が不十分な状態でモールド成形が行われることが懸念される。
【０００８】
本発明は、モールド部付電線において、接着剤がモールド部成形時の射出圧によって所望の箇所から流されてしまうことをより確実に抑制することを目的とする。
【課題を解決するための手段】
【０００９】
第１態様に係るモールド部付電線は、芯線と前記芯線の周囲を覆う絶縁被覆とを含む絶縁電線及び前記絶縁電線の端部に接続された端子を備え、凹部が前記絶縁被覆に形成された、端子付電線と、前記絶縁被覆の前記凹部に設けられた接着剤と、前記端子付電線の前記絶縁被覆における前記接着剤が設けられた部分から前記絶縁電線と前記端子との接続部分に亘る部分を覆うモールド部と、を備える。
【００１０】
第２態様に係るモールド部付電線は、第１態様に係るモールド部付電線の一態様である。第２態様に係るモールド部付電線においては、前記凹部が、前記絶縁電線の周方向に沿って前記絶縁被覆に形成された第一凹部を含む。
【００１１】
第３態様に係るモールド部付電線は、第１態様又は第２態様に係るモールド部付電線の一態様である。第３態様に係るモールド部付電線においては、前記絶縁被覆が、シリコーンゴムである。
【００１２】
第４態様に係るモールド部付電線は、第１態様から第３態様のいずれか１つに係るモールド部付電線の一態様である。第４態様に係るモールド部付電線においては、前記凹部は、有機溶剤が前記絶縁被覆に供給されることにより形成される。
【００１３】
第５態様に係るモールド部付電線は、第１態様から第４態様のいずれか１つに係るモールド部付電線の一態様である。第５態様に係るモールド部付電線においては、前記絶縁電線の長手方向において前記凹部の端が前記絶縁被覆の端よりも中間側に位置するように形成されている。
【００１４】
第６態様に係るモールド部付電線は、第１態様から第５態様のいずれか１つに係るモールド部付電線の一態様である。第６態様に係るモールド部付電線においては、前記凹部が、前記絶縁被覆に散在して設けられた第二凹部を含む。
【発明の効果】
【００１５】
上記の各態様において、接着剤は、絶縁被覆に形成された凹部に設けられている。そのため、接着剤が凹部内で留まりやすくなり、接着剤がモールド部成形時の射出圧によって所望の箇所から流されてしまうことが抑制される。また、上記の各態様においては、絶縁被覆に凹部が設けられることで、絶縁被覆と接着剤との接着力が向上させる状態をより確実に確認することができる。従って、接着剤がモールド部成形時の射出圧によって所望の箇所から流されてしまうことをより確実に抑制できる。
【００１６】
また、第２態様において、凹部が、絶縁電線の周方向に沿って形成された第二凹部を含む。この場合、接着剤を絶縁電線の周方向に沿った領域に設けることができ、モールド部付電線の止水構造の性能がより向上する。
【００１７】
また、第３態様において、絶縁被覆がシリコーンゴムである。通常、シリコーンゴムは、接着剤との接着性が悪いことが多い。このため、第３態様のモールド部付電線がより有効である。
【００１８】
また、第４態様において、凹部は、有機溶剤が絶縁被覆に供給されることにより形成されるため、凹部を簡易に作ることができる。
【００１９】
また、第５態様においては、絶縁電線の長手方向において凹部の端が絶縁被覆の端よりも中間側に位置するように形成されている。このため、接着剤がモールド部成形時の射出圧によって、凹部から押し上げられるように流されることが抑制できる。これにより、接着剤がモールド部成形時の射出圧によって所望の箇所から流されてしまうことがより抑制される。
【００２０】
また、第６態様においては、凹部が絶縁被覆に散在して設けられた複数の第二凹部を含むため、接着剤が流されにくくなり、接着剤がモールド部成形時の射出圧によって所望の箇所から流されてしまうことをより抑制できる。
【図面の簡単な説明】
【００２１】
【図１】第１実施形態に係るモールド部付電線の一部切り欠き側面図である。
【図２】第１実施形態に係るモールド部付電線の側面図である。
【図３】第１実施形態において端子付電線に有機溶剤を滴下する様子を示した側面図である。
【図４】第１実施形態において凹部が形成された端子付電線の側面図である。
【図５】第１実施形態において凹部を拡大した断面図である。
【図６】第１実施形態において接着剤が設けられた端子付電線の一部切り欠き側面図である。
【図７】第１実施形態においてモールド部を設ける様子を示した一部切り欠き側面図である。
【図８】第１実施形態においてモールド部成形時の凹部を拡大した断面図である。
【図９】第２実施形態に係るモールド部付電線の一部切り欠き側面図である。
【発明を実施するための形態】
【００２２】
以下、添付の図面を参照しながら、実施形態について説明する。以下の実施形態は、本発明を具現化した一例であり、本発明の技術的範囲を限定する事例ではない。
【００２３】
＜第１実施形態＞
図１〜８を参照しつつ、第１実施形態に係るモールド部付電線１００について説明する。モールド部付電線１００は、端子付電線１と接着剤２とモールド部３とを備える。端子付電線１は、絶縁電線１１と端子１２とを備える。
【００２４】
図１は、モールド部付電線１００の一部切り欠き側面図である。図１では、モールド部３の内部及び絶縁電線１１の一部の内部が切り欠かれて示されている。図２は、モールド部付電線１００の側面図である。
【００２５】
モールド部付電線１００は、例えば、自動車等の車両に搭載されるワイヤーハーネスの一部を構成する。本実施形態では、モールド部付電線１００は、シールドシェル等の筐体５の開口部５１に挿入され、筐体５内に設けられた端子台等の相手側部材５２に接続されることが考えられる。このとき、モールド部付電線１００のモールド部３が、筐体５の開口部５１に嵌り合うことで、モールド部付電線１００の位置が決められる。なお、図１において、筐体５、開口部５１及び相手側部材５２は、仮想線（二点鎖線）で示されている。
【００２６】
＜モールド部付電線：端子付電線＞
モールド部付電線１００において、端子付電線１は、絶縁電線１１と端子１２とを備える。絶縁電線１１は、芯線１１２と芯線１１２の周囲を覆う絶縁被覆１１１とを含んでいる。芯線１１２は、例えば、銅又はアルミニウム等の金属を主成分とする部材である。絶縁被覆１１１は、絶縁性の樹脂部材である。
【００２７】
本実施形態では、絶縁被覆１１１が、シリコーンゴムで形成されている。シリコーンゴムは、一般的に難接着性の部材であることが知られている。なお、絶縁被覆１１１が、シリコーンゴムの他に、フッ素樹脂等の難接着性の材料で形成されている場合も考えられる。また、接着剤２との接着性をより高めるため、絶縁被覆１１１が、例えば、ポリエチレン又は塩化ビニルなどを主成分とする合成樹脂の部材である場合にも適用可能である。
【００２８】
また、モールド部付電線１００において、絶縁被覆１１１には、凹部１９が形成されている。また、凹部１９には、接着剤２が設けられる。詳細については、後述する。
【００２９】
端子１２は、絶縁電線１１の端部に接続されている。本実施形態では、端子１２は、電線接続部１２１と相手側部材接続部１２２とを備える。端子１２は、例えば、銅等の金属を主成分とする部材である。
【００３０】
本実施形態において、電線接続部１２１は、絶縁電線１１の芯線１１２に接続される部分である。電線接続部１２１は、絶縁被覆１１１から延び出た芯線１１２に接続されている。また、本実施形態において、電線接続部１２１は、絶縁電線１１の絶縁被覆１１１から延び出た芯線１１２に圧着された圧着片１２１１を含む。なお、電線接続部１２１が、さらに絶縁電線１１の端部の絶縁被覆１１１に接続される絶縁被覆１１１用の圧着片を含む場合も考えられる。また、絶縁電線１１の芯線１１２が、熱溶接又は超音波溶接等の溶接によって、端子１２の電線接続部１２１に接続されている場合も考えられる。
【００３１】
また、本実施形態において、相手側部材接続部１２２は、相手側部材５２に接続可能な部分である。本実施形態では、相手側部材接続部１２２には、相手側部材５２（端子台）に対しボルト締結を可能にする孔１２２１が形成されている。
【００３２】
＜モールド部付電線：接着剤＞
モールド部付電線１００において、接着剤２は、絶縁電線１１の絶縁被覆１１１の凹部１９に設けられている。図１，２に示されるように、接着剤２は、凹部１９を埋めるように絶縁被覆１１１に塗布されていることが考えられる。
【００３３】
接着剤２は、例えば、シリコーン系等の樹脂材料で形成されている。接着剤２は、絶縁被覆１１１に接着し、後述するモールド部３と絶縁被覆１１１との間の隙間を埋め、モールド部付電線１００の止水構造を形成する。本実施形態では、絶縁被覆１１１として、シリコーンゴムが採用されているため、モールド部３と絶縁被覆１１１との接着性が悪い。そのため、接着剤２は、モールド部付電線１００の止水構造の性能をより向上させるために用いられている。即ち、絶縁被覆１１１の樹脂と後述するモールド部３のモールド樹脂との接着性よりも、接着剤２と絶縁被覆１１１との接着性又は接着剤２とモールド部３のモールド樹脂との接着性が優れていることが考えられ、この条件を満たす樹脂材料を含む接着剤２が採用されることが考えられる。
【００３４】
＜モールド部付電線：モールド部＞
モールド部付電線１００において、モールド部３は、端子付電線１の絶縁被覆１１１における接着剤２が設けられた部分から絶縁電線１１と端子１２との接続部分に亘る部分を覆っている。即ち、モールド部３は、絶縁電線１１と端子１２との接続部分を覆い、モールド部付電線１００の止水構造を構成している。
【００３５】
モールド部３は、絶縁被覆１１１の凹部１９に設けられた接着剤２を覆う部分も含む。このため、モールド部３は、端子付電線１の絶縁被覆１１１における接着剤２が設けられた部分から絶縁電線１１と端子１２との接続部分に亘る部分を覆う環状に形成されていることが考えられる。
【００３６】
また、モールド部３の輪郭形状は、開口部５１に嵌め合い可能な形状に形成されていることが考えられる。なお、筐体５の開口部５１の形状によっては、モールド部３の外周面に開口部５１に嵌合可能な突部或いは窪み部が形成されている場合等も考えられる。
【００３７】
また、本実施形態では、モールド部３は、絶縁電線１１の周方向において、接着剤２をその全周に亘って覆っている。また、モールド部３は、絶縁電線１１の長手方向において、接着剤２の一部を覆っている。即ち、本実施形態のモールド部付電線１００では、接着剤２の一部が、モールド部３に覆われておらず露出している。なお、モールド部３が、接着剤２全体を覆うように形成されている場合も考えられる。
【００３８】
モールド部３を形成する樹脂としては、ＰＰＳ（ポリフェニレンスルファイド）樹脂、ＰＰＡ（ポリフタルアミド）樹脂、ＬＣＰ樹脂（液晶ポリマー）、フェノール系、ポリエステル系、ポリアミド系、エポキシ系の樹脂又はＰＢＴ（ポリブチレンテレフタレート）樹脂等が考えられる。
【００３９】
＜モールド部付電線：凹部＞
次に、モールド部付電線１００における絶縁被覆１１１に形成された凹部１９の構造について、さらに図３〜５を参照しつつ説明する。図３は、凹部１９を形成する作業の一例を示した図である。なお、本実施形態は、凹部１９は、有機溶剤４が絶縁被覆１１１に供給されることにより形成される場合の事例である。このため、図３では、絶縁被覆１１１に有機溶剤４を供給し凹部１９が形成される作業の様子が示されている。図４は、接着剤２が設けられる前の凹部１９を含む端子付電線１の側面図である。図５は、凹部１９の拡大断面図である。なお、図５では、絶縁電線１１の長手方向に沿う平面における断面が示されている。
【００４０】
モールド部付電線１００において、絶縁被覆１１１に形成された凹部１９は、接着剤２が絶縁被覆１１１の外周面上を流れるように移動してしまうことを抑制するために設けられる。凹部１９は、絶縁被覆１１１において絶縁電線１１の絶縁被覆１１１の外周面側から芯線１１２側へ凹んだ部分である。
【００４１】
本実施形態では、凹部１９は、絶縁被覆１１１の端部に形成されている。また、本実施形態において、絶縁電線１１の長手方向における凹部１９の端が、絶縁被覆１１１の端よりも中間側に位置するように、凹部１９が絶縁被覆１１１に形成されている。なお、絶縁被覆１１１の中間とは、絶縁電線１１の長手方向において絶縁被覆１１１の両端の間の部分のことを意味する。このため、絶縁被覆１１１の中間側は、絶縁電線１１の長手方向において絶縁被覆１１１の端における端子１２側に対し反対側であるともいえる。
【００４２】
即ち、本実施形態では、絶縁電線１１の長手方向において凹部１９の端子１２側には、有機溶剤４が付着せず凹んでいない部分が存在する。このため、凹部１９は、例えば、絶縁被覆１１１の端面を含まない凹部であるといえる。なお、絶縁被覆１１１の端面は、絶縁電線１１の長手方向に直交する面であり、絶縁被覆１１１における端子１２に接続される芯線１１２の根元側の面のことである。
【００４３】
また、本実施形態では、凹部１９が、絶縁電線１１の周方向に沿って絶縁被覆１１１に形成された第一凹部１９１と、絶縁被覆１１１に散在して設けられた複数の第二凹部１９２と、を含んでいる。
【００４４】
第一凹部１９１は、例えば、図１，４に示されるように、絶縁電線１１の周方向に沿って絶縁被覆１１１の全周に亘って形成される場合が考えられる。なお、第一凹部１９１が、絶縁被覆１１１の周方向における一部に設けられている場合も考えられる。
【００４５】
本実施形態において、第二凹部１９２は、第一凹部１９１における絶縁被覆１１１の表面に形成されている。即ち、第二凹部１９２は、第一凹部１９１に散在して設けられている。本実施形態では、図５に示されるように、複数の第二凹部１９２が第一凹部１９１に形成されることで、第一凹部１９１は、でこぼこに形成された面を含んでいる。
【００４６】
本実施形態では、凹部１９は、有機溶剤４が絶縁被覆１１１に滴下されることにより形成される。有機溶剤４は、酸性が強い溶剤であることが考えられる。本実施形態において、有機溶剤４は、絶縁被覆１１１に対する溶剤であり、絶縁被覆１１１（シリコーンゴム）を溶かす性質を有する有機化合物を含んでいる。有機溶剤４は、例えば、希硫酸等を含んでいることが考えられる。凹部１９は、例えば、以下の方法で形成される。
【００４７】
まず、図３に示されるように、絶縁被覆１１１の所定箇所に有機溶剤４が滴下される。そして、絶縁被覆１１１における有機溶剤４が滴下された箇所が溶けることにより、絶縁被覆１１１における有機溶剤４が滴下されなかった他の箇所よりも芯線１１２側へ凹む。これにより、第一凹部１９１及び第二凹部１９２を含む凹部１９が形成される。
【００４８】
即ち、絶縁被覆１１１に滴下された有機溶剤４は、絶縁電線１１の周方向に沿って絶縁被覆１１１の外周面を移動する。これにより、絶縁電線１１の周方向に沿う第一凹部１９１が形成される。本実施形態では、第一凹部１９１は、絶縁被覆１１１の全周に亘って形成されている。また、絶縁電線１１を周方向に回転させつつ、有機溶剤４を絶縁被覆１１１の所定箇所に滴下することも考えられる。
【００４９】
また、絶縁被覆１１１に滴下された有機溶剤４は、滴下された箇所から拡がるようにその周囲の部分も溶かす。そして、有機溶剤４は、一般的に揮発性が高い。このため、有機溶剤４が滴下された箇所から遠ざかるにつれ徐々に絶縁被覆１１１を溶かす有機溶剤４の量が減少することが考えられる。この場合、凹部１９が、絶縁電線１１の長手方向において最も芯線１１２側に凹んだ箇所から両側に向かうにつれ徐々に芯線１１２側への凹みが浅くなるような凹部となることが考えられる。なお、このとき、凹部１９における最も芯線１１２側に凹んだ箇所は、有機溶剤４の滴下箇所に相当すると考えられる。
【００５０】
また、本実施形態において、有機溶剤４が滴下されて形成された凹部１９は、第一凹部１９１に散在して設けられた複数の第二凹部１９２を含む。図５に示されるように、第二凹部１９２は第一凹部１９１における絶縁被覆１１１の表面に形成され、第一凹部１９１を成す面がでこぼこに形成されていることが考えられる。これは、有機溶剤４によって絶縁被覆１１１の表面が荒らされるためである。第一凹部１９１に設けられた複数の第二凹部１９２により、接着剤２が凹部１９内に留まり易くなる。
【００５１】
なお、有機溶剤４が滴下される代わりに、有機溶剤４を絶縁被覆１１１に塗布することにより、絶縁被覆１１１に凹部１９を形成する場合も考えられる。また、有機溶剤４の揮発も待たずに有機溶剤４を伴う絶縁電線１１を洗浄することで、絶縁被覆１１１から有機溶剤４を取り除く場合も考えられる。
【００５２】
次に、モールド部付電線１００における絶縁被覆１１１に形成された凹部１９の作用について、さらに図６〜８を参照しつつ説明する。図６は、凹部１９に接着剤２が設けられた端子付電線１の一部切り欠き側面図である。図７は、モールド部３を端子付電線１に設けるモールド成形を示した図である。図８は、モールド成形時の凹部１９付近を拡大した拡大断面図である。なお、図８では、絶縁電線１１の長手方向に沿う平面における断面が示されている。
【００５３】
絶縁被覆１１１に凹部１９が設けられた後、凹部１９に接着剤２が設けられる。より具体的には、凹部１９の第一凹部１９１を埋めるように接着剤２が設けられる。そして、接着剤２が乾燥後、この端子付電線１が金型７にセットされる。
【００５４】
図７に示されるように、金型７は、例えば、上金型７１と下金型７２とを含んでいる。そして、上金型７１と下金型７２とは、相互に離隔すること及び接近することが可能である。また、上金型７１と下金型７２とが最接近した状態において、金型７には、成形空間７０が形成される。成形空間７０は、モールド部３の外周面が成す輪郭形状と同じ金型面によって囲まれる空間である。本実施形態では、端子付電線１の絶縁被覆１１１における接着剤２が設けられた部分から絶縁電線１１と端子１２との接続部分に亘る部分が成形空間７０に収容される。
【００５５】
端子付電線１が金型７にセットされた後、金型７の成形空間７０には、モールド部３を形成する樹脂（モールド樹脂３０）が射出される。モールド樹脂３０は、成形空間７０を満たしていく。
【００５６】
例えば、図８に示されるように、モールド樹脂３０の射出圧によって、モールド樹脂３０は、絶縁被覆１１１の外周面上を滑るように移動する。このとき、本実施形態においては、接着剤２が絶縁被覆１１１の凹部１９に設けられているため、絶縁被覆１１１の外周面上を移動するモールド樹脂３０によって、接着剤２が絶縁被覆１１１から剥離するように流されることが抑制される。
【００５７】
また、凹部１９に設けられた接着剤２の外周面が成す輪郭と絶縁電線１１の長手方向において凹部１９の両側の絶縁被覆１１１の領域、即ち、絶縁被覆１１１における芯線１１２側に凹んでいない領域、の外周面が成す輪郭とが同じ場合、或いは、凹部１９に設けられた接着剤２の外周面が成す輪郭が絶縁被覆１１１における芯線１１２側に凹んでいない領域の外周面が成す輪郭よりも小さい場合、絶縁被覆１１１の外周面上を移動するモールド樹脂３０によって、接着剤２が絶縁被覆１１１から剥離することがより抑制されると考えられる。なお、凹部１９に設けられた接着剤２の外周面が成す輪郭と絶縁電線１１の長手方向において凹部１９の両側の絶縁被覆１１１の領域、即ち、絶縁被覆１１１における芯線１１２側に凹んでいない領域、の外周面が成す輪郭とが同じ場合とは、凹部１９に設けられた接着剤２と絶縁電線１１の長手方向において凹部１９の両側の絶縁被覆１１１の領域との間に段差が形成されていない場合でもある。
【００５８】
また、本実施形態では、絶縁電線１１の長手方向において凹部１９の端が絶縁被覆１１１の端よりも中間側に位置するように形成されている。このため、接着剤２がモールド部３成形時の射出圧によって、凹部１９から押し上げられるように流されることを抑制でき、接着剤２が絶縁被覆１１１の所望の箇所から流されてしまうことをより抑制できる。
【００５９】
また、本実施形態では、凹部１９が第二凹部１９２を含むため、接着剤２が凹部１９から流されにくくなり、接着剤２がモールド部３成形時の射出圧によって所望の箇所から流されてしまうことをより抑制できる。
【００６０】
＜モールド部付電線＞
モールド樹脂３０が接着剤２の周囲を覆う状態でモールド樹脂３０を硬化させ、端子付電線１の絶縁被覆１１１における接着剤２が設けられた部分から絶縁電線１１と端子１２との接続部分に亘る部分を覆うモールド部３が形成される。そして、金型７からモールド部３を伴う端子付電線１を取り出すことで、モールド部付電線１００を得ることができる。
【００６１】
本実施形態では、接着剤２が絶縁被覆１１１の所望の箇所から流されてしまうことを抑制できるため、モールド部３と絶縁被覆１１１との間をより確実に接着剤２で埋めることができる。
【００６２】
また、モールド部付電線１００の製造において、絶縁被覆１１１に形成された凹部１９を目視で簡単に確認することができる。このため、接着剤２がモールド部３成形時の射出圧によって所望の箇所から流されてしまうことをより確実に抑制できる。その結果、モールド部付電線１００の止水構造の性能をより確実に向上させることができる。
【００６３】
また、本実施形態では、絶縁被覆１１１に凹部１９を設けるという簡易な構成で、接着剤２がモールド部３成形時の射出圧によって所望の箇所から流されてしまうことを抑制できる。
【００６４】
また、本実施形態では、凹部１９が、絶縁電線１１の周方向に沿って形成されている。この場合、接着剤２を絶縁電線１１の周方向に沿ってより広い領域に設けることができ、モールド部付電線１００の止水構造の性能がより向上する。
【００６５】
また、本実施形態において、絶縁被覆１１１は、シリコーンゴムである。このとき、希硫酸等の酸性が強い溶剤（有機溶剤４）が採用されることで、絶縁被覆１１１の凹部１９においてシリコーンの結合基（シロキサン結合）が切断される。そして、シリコーン系等を含む接着剤２を採用することで、凹部１９において絶縁被覆１１１と接着剤２との接着性を向上させることができる。本実施形態において、有機溶剤４と接着剤２との組み合わせが上記の場合、特に凹部１９において絶縁被覆１１１と接着剤２との接着性を高めることができ、接着剤２がモールド部３成形時の射出圧によって所望の箇所から流されてしまうことをより抑制できる。その結果、モールド部付電線１００の止水構造の性能をさらに向上させることが可能となる。
【００６６】
＜第２実施形態＞
次に、図９を参照しつつ、第２実施形態に係るモールド部付電線２００について説明する。モールド部付電線２００は、第１実施形態と異なる構造の凹部１９Ａを含む。図９は、モールド部付電線２００の一部切り欠き側面図である。なお、図９において、図１〜８に示される構成要素と同じ構成要素は、同じ参照符号が付されている。以下、本実施形態における第１実施形態と異なる点について説明する。
【００６７】
本実施形態では、モールド部付電線２００は、絶縁被覆１１１の一部が削られ除去されて形成された凹部１９Ａを含む。図９に示される例では、絶縁被覆１１１に形成された凹部１９Ａは、絶縁電線１１の長手方向に沿って螺旋状に形成されている。凹部１９Ａは、例えば、ヤスリ等を用いて絶縁被覆１１１の一部が削られ除去されることにより形成される。
【００６８】
本実施形態では、凹部１９Ａは、絶縁電線１１の周方向に沿って絶縁被覆１１１に形成された第一凹部１９１Ａのみを含んでいる。なお、ヤスリ等で第一凹部１９１Ａを設けた後に、第一凹部１９１Ａにおける絶縁被覆１１１の表面をでこぼこにすることで第二凹部１９２を設けることも考えられる。
【００６９】
なお、凹部１９Ａが、絶縁電線１１の長手方向に沿って並んで形成され、絶縁被覆１１１の周方向に沿う複数の環状の溝部を含む場合も考えられる。また、凹部１９Ａが、絶縁被覆１１１に形成された筋状の亀裂を含む場合等も考えられる。
【００７０】
本実施形態においても、接着剤２が凹部１９Ａに設けられることで、接着剤２がモールド部３成形時の射出圧によって所望の箇所から流されてしまうことを抑制できる。
【００７１】
＜応用例＞
凹部１９が、第二凹部１９２のみを含む場合も考えられる。この場合、接着剤２は、第二凹部１９２を覆うように絶縁被覆１１１に設けられることが考えられる。
【００７２】
また、有機溶剤４の滴下量及び滴下箇所を調節し、凹部１９を、第２実施形態における凹部１９Ａと同様の形状にすることも場合も考えられる。
【００７３】
なお、本発明に係るモールド部付電線は、各請求項に記載された発明の範囲において、以上に示された各実施形態及び応用例を自由に組み合わせること、或いは、各実施形態及び応用例を適宜、変形する又は一部を省略することによって構成されることも可能である。
【符号の説明】
【００７４】
１  端子付電線
１００  モールド部付電線
１１  絶縁電線
１１１  絶縁被覆
１１２  芯線
１２  端子
１９  凹部
１９１  第一凹部
１９２  第二凹部
２  接着剤
３  モールド部
４  有機溶剤
【図１】
2016100103.tif 000003
【図２】
2016100103.tif 000004
【図３】
2016100103.tif 000005
【図４】
2016100103.tif 000006
【図５】
2016100103.tif 000007
【図６】
2016100103.tif 000008
【図７】
2016100103.tif 000009
【図８】
2016100103.tif 000010
【図９】
2016100103.tif 000011